(57)【特許請求の範囲】
【請求項１】
撮影用開口を備えたシャッタ地板と、
前記撮影用開口を閉鎖・開放する先羽根群及び後羽根群と、
前記先羽根群を駆動する先羽根駆動部材と、
前記後羽根群を駆動する第１の後羽根駆動部材と、
露光作動時において前記第１の後羽根駆動部材と略一体に作動する第２の後羽根駆動部材と、
シャッタチャージを行う正転時において前記先羽根駆動部材を押動する第１のカム部、該正転時において前記第２の後羽根駆動部材を押動する第２のカム部、該正転時の途中において前記第２の後羽根駆動部材に追従して前記後羽根群を閉鎖位置から開放位置へ向けて作動させている途中の前記第１の後羽根駆動部材に当接する第３のカム部、を有していて、該第３のカム部のカム面は、その当接後は、前記第１の後羽根駆動部材を押動しそれまでとは逆方向へ作動させることによって前記後羽根群を閉鎖位置に復帰させ該閉鎖位置に保持する形状をしている正逆転可能なセット部材と、
前記セット部材を駆動するセット部材駆動手段と、
を備えるカメラ用フォーカルプレンシャッタ。
【請求項２】
前記第３のカム部のカム面は、前記セット部材の逆転時において、その前半領域では、前記第１の後羽根駆動部材と当接していて、前記後羽根群を前記閉鎖位置に保持し、後半領域では、前記第３のカム部から離脱し、前記後羽根群を開放位置へと移動可能にする形状を有している請求項１記載のカメラ用フォーカルプレンシャッタ。
【発明の詳細な説明】
【０００１】
【発明の属する技術分野】
本発明は、カメラ用のフォーカルプレンシャッタに係り、特に、シャッタ地板の撮影用開口を先羽根群及び後羽根群で覆う二重遮光機能を有するフォーカルプレンシャッタに関する。
【０００２】
【従来の技術】
従来のカメラ用フォーカルプレンシャッタとしては、例えば特開昭６２−１８５２５号公報に記載されているものが知られている。この公報に記載のフォーカルプレンシャッタは、アパーチャを有する地板と、アパーチャを閉鎖・開放する先羽根群及び後羽根群と、先羽根群を駆動する先駆動レバーと、後羽根群を駆動する第１の後駆動レバーと、第１の後駆動レバーとバネで連結された第２の後駆動レバーと、先駆動レバーに当接するカム部、第２の後駆動レバーに当接するセットローラ、第１の後駆動レバーに当接する係止部を有するチャージ部材と、先駆動レバーに当接するカム部及び第１の後駆動レバーに当接する係止部を有する後駆動保持レバーとを備えている。
【０００３】
このようなフォーカルプレンシャッタにおいて、撮影（露出）が終了すると、チャージ部材が左旋し、チャージ部材のカム部が先駆動レバーに当接すると共にセットローラが第２の後駆動レバーに当接し、先駆動レバー及び第２の後駆動レバーが右旋し、これにより先羽根群が閉鎖位置に移動して後羽根群と共にアパーチャを覆うようになる。この二重遮光状態からレリーズ操作が行われると、チャージ部材が右旋し、第１の後駆動レバーがバネによって直ちに右旋し、後羽根群が閉鎖位置から待避位置に移動する。
【０００４】
【発明が解決しようとする課題】
上記従来技術においては、第２の後駆動レバーを右旋させ始めた直後は、第１の後駆動レバーの被係止部が後駆動保持レバーの係止部に当接して第１の後駆動レバーが第２の後駆動レバーに追従して右旋することを阻止している。そして、第２の後駆動レバーがある程度右旋すると、第１の後駆動レバーの被係止部がチャージ部材の係止部に当接して第１の後駆動レバーの右旋を阻止する。
【０００５】
このように第１の後駆動レバーの右旋を阻止することで後羽根群を閉鎖位置に保持しておくための部材として、チャージ部材及び後駆動保持レバーという２つの部材を使用している。この場合には、シャッタ地板にそれら２つの部材を配置するためのスペースの確保が必要となるため、シャッタの寸法が大きくなると共に、部品点数が多い分シャッタの製作コストが高くなる。
【０００６】
本発明の目的は、小型化及び低コスト化を図ることができるカメラ用フォーカルプレンシャッタを提供することである。
【０００７】
【課題を解決するための手段】
上記の目的を達成するため、本発明は、撮影用開口を備えたシャッタ地板と、撮影用開口を閉鎖・開放する先羽根群及び後羽根群と、先羽根群を駆動する先羽根駆動部材と、後羽根群を駆動する第１の後羽根駆動部材と、露光作動時において第１の後羽根駆動部材と略一体に作動する第２の後羽根駆動部材と、シャッタチャージを行う正転時において先羽根駆動部材を押動する第１のカム部、該正転時において第２の後羽根駆動部材を押動する第２のカム部、該正転時の途中において第２の後羽根駆動部材に追従して後羽根群を閉鎖位置から開放位置へ向けて作動させている途中の第１の後羽根駆動部材に当接する第３のカム部、を有していて、該第３のカム部のカム面は、その当接後は、第１の後羽根駆動部材を押動しそれまでとは逆方向へ作動させることによって後羽根群を閉鎖位置に復帰させ該閉鎖位置に保持する形状をしている正逆転可能なセット部材と、セット部材を駆動するセット部材駆動手段と、を備えるカメラ用フォーカルプレンシャッタを提供する。
【０００８】
以上のように構成した本発明においては、セット部材に設けた第３のカム部だけで後羽根群を閉鎖位置に保持し続けることができるので、後羽根群を閉鎖位置に保持するための部材の数が従来のフォーカルプレンシャッタよりも少なくて済む。このため、シャッタ地板に広い配置スペースを確保する必要がなくなるので、フォーカルプレンシャッタ自体が小型になると共に、部品点数が少なくなる分だけシャッタの製作コストが安価になる。
【００１１】
また、好ましくは、第３のカム部のカム面は、セット部材の逆転時において、その前半領域では、第１の後羽根駆動部材と当接していて、後羽根群を閉鎖位置に保持し、後半領域では、第３のカム部から離脱し、後羽根群を開放位置へと移動可能にする形状を有している構成とする。
【００１２】
これにより、第１の後羽根駆動部材の作動片が閉鎖位置に対応する位置にある状態からセット部材を正転させると、第１の後羽根駆動レバーはその作動片が第３のカム部のカム面を摺動しながら徐々に回動していく。このため、第１の後羽根駆動レバーが後羽根群の閉鎖位置に対応する位置から後羽根群の開放位置まで直ちに回動することがなく、第１の後羽根駆動レバーの急な回動による衝撃が少なくなる。
【００１３】
【発明の実施の形態】
以下、本発明に係るカメラ用フォーカルプレンシャッタの好適な実施形態について図面を参照して説明する。
【００１４】
図１は、本実施形態によるカメラ用フォーカルプレンシャッタの平面図である。同図において、フォーカルプレンシャッタ１００は二重遮光機能を有するものであり、撮影用開口であるアパーチャ１ａを有するシャッタ地板１と、アパーチャ１ａを閉鎖・開放する先羽根群２及び後羽根群３と、先羽根群２及び後羽根群３がアパーチャ１ａを閉鎖する閉鎖位置とアパーチャ１ａを開放する開放位置との間を走行するように、先羽根群２及び後羽根群３を独立して駆動する羽根駆動機構４とを備えている。
【００１５】
羽根駆動機構４は、シャッタ地板１に軸１１により回動自在に取り付けられ、駆動ピンを介して先羽根群２と連結された先羽根駆動レバー（先羽根駆動部材）１２と、シャッタ地板１に軸１４により回動自在に取り付けられ、駆動ピンを介して後羽根群３と連結された第１の後羽根駆動レバー（第１の後羽根駆動部材）１５と、シャッタ地板１に軸１４により回動自在に取り付けられ、図示しない羽根アームとシャッタ地板１との間に張架された図示しないバネにより付勢された第２の後羽根駆動レバー（第２の後羽根駆動部材）１９と、シャッタ地板１に軸２１により回動自在に取り付けられ、先羽根駆動レバー１２、第１の後羽根駆動レバー１５及び第２の後羽根駆動レバー１９を回動させるセットレバー（セット部材）２２と、シャッタ地板１に軸２４により回動自在に取り付けられ、図示しない駆動モータにより回動する補助セットレバー２６と、セットレバー２２と補助セットレバー２６とを軸２８及び２９により連結するセットリンクレバー２５とを備えている。ここで、補助セットレバー２６、セットリンクレバー２５及び図示しない駆動モータは、セットレバー２２を駆動するセット部材駆動手段を構成する。
【００１６】
また、羽根駆動機構４は、シャッタ地板１に形成された弧状溝１ｂ，１ｃを備え、各弧状溝１ｂ，１ｃの一端側にはダンパ（緩衝部材）１ｄ，１ｅが設けられている。また、羽根駆動機構４は、先羽根駆動レバー１２を先羽根群２の閉鎖位置に対応する位置（チャージ位置）に保持しておくための電磁石（図では鉄心３８のみ示し、鉄心３８のまわりのコイルは省略している）と、第２の後羽根駆動レバー１９を後羽根群３の開放位置に対応する位置（チャージ位置）に保持しておくための電磁石（図では鉄心３９のみ示し、鉄心３９のまわりのコイルは省略している）とを備えている。
【００１７】
先羽根駆動レバー１２は、バネ３１によって右旋性（時計回り方向の回動習性）の付勢力が付与されている。また、先羽根駆動レバー１２は、図２に示すように、軸１１が挿入される軸挿入部１２ａと、セットレバー２２に係合する作動片１２ｂと、弧状溝１ｃに挿入される駆動ピン１２ｃと、鉄心３８に接触吸着される磁石受け部１２ｄとを有している。
【００１８】
第１の後羽根駆動レバー１５は、図３に示すように、軸１４が挿入される軸挿入部１５ａと、セットレバー２２に係合する作動片１５ｂと、弧状溝１ｂに挿入される駆動ピン１５ｃとを有している。
【００１９】
第２の後羽根駆動レバー１９は、第１の後羽根駆動レバー１５の上方に設けられ、バネ３３によって右旋性の付勢力が付与されている。また、第２の後羽根駆動レバー１９は、図４に示すように、軸１４が挿入される軸挿入部１９ａと、セットレバー２２に係合する作動片１９ｂと、鉄心３９に接触吸着される磁石受け部１９ｄと、第１の後羽根駆動レバー１５の左旋を停止させるためのストッパ１９ｅ（図８〜図１７参照）とを有している。
【００２０】
セットレバー２２は、図５に示すように、軸２１が挿入される軸挿入部２２ａと、軸２８が挿入される軸挿入部（図示せず）と、先羽根駆動レバー１２の作動片１２ｂと当接し、先羽根駆動レバー１２を押動する第１のカム部２２ｂと、第２の後羽根駆動レバー１９の作動片１９ｂと当接し、第２の後羽根駆動レバー１９を押動する第２のカム部２２ｃと、第１の後羽根駆動レバー１５の作動片１５ｂと当接する第３のカム部２２ｄとを備えている。
【００２１】
ここで、第３のカム部２２ｄは、セットレバー２２を右旋（正転）させたときに、第１の後羽根駆動レバー１５の作動片１５ｂと当接することで後羽根群３を閉鎖位置に保持し続けるようにするものである。当該カム部２２ｄのカム面は、セットレバー２２を正転させたときには、後羽根群３を閉鎖位置に保持し続ける間中、常に第１の後羽根駆動レバー１５の作動片１５ｂを摺動させ、セットレバー２２を左旋（反転）させたときには、作動片１５ｂを摺動させながら第１の後羽根駆動レバー１５を作動させるような形状を有している。
【００２２】
補助セットレバー２６は、バネ３５によって左旋性（反時計回り方向の回動習性）の付勢力が付与されている。また、補助セットレバー２６は、図６に示すように、軸２４が挿入される軸挿入部２６ａと、軸２９が挿入される軸挿入部２６ｂとを備えている。
【００２３】
セットリンクレバー２５は、図７に示すように、両端部に軸挿入部２５ａ及び２５ｂを有しており、軸挿入部２５ａがセットレバー２２の軸挿入部（図示せず）と軸２８により連結され、軸挿入部２５ｂが補助セットレバー２６の軸挿入部２６ｂと軸２９により連結される。
【００２４】
以上にように構成したフォーカルプレンシャッタ１００の動作を図１及び図８〜図１７を用いて説明する。なお、図８〜図１７では、図１で示した先羽根群２、後羽根群３、各バネ３１，３３，３５は省略している。
【００２５】
図１は撮影（露光）が終了して後羽根群３の走行が完了した状態を示しており、カメラ内部の制御系はその状態を検知し、直ちにカメラ内部のモータに駆動指令を与え、フィルムの巻き上げ、ミラー機構系のチャージを行うと共に、上記フォーカルプレンシャッタ１００のチャージを行う。
【００２６】
まず、図示しない駆動モータの回転により補助セットレバー２６がバネ３５に抗して右旋し始め、この補助セットレバー２６の回動がセットリンクレバー２５を介してセットレバー２２に伝達され、セットレバー２２が右旋し始める。これに伴い、セットレバー２２の第１のカム部２２ｂが先羽根駆動レバー１２の作動片１２ｂに当接し、先羽根駆動レバー１２はバネ３１に抗して左旋する（図８参照）。
【００２７】
図８の状態から補助セットレバー２６がさらに右旋すると、先羽根駆動レバー１２がさらに左旋すると共に、セットレバー２２の第２のカム部２２ｃが第２の後羽根駆動レバー１９の作動片１９ｂに当接し、第２の後羽根駆動レバー１９はバネ３３に抗して左旋し始める。このとき、第１の後羽根駆動レバー１５は図示しないバネにより第２の後羽根駆動レバー１９と一体に左旋する（図９参照）。
【００２８】
図９の状態から補助セットレバー２６がさらに右旋すると、先羽根駆動レバー１２及び第２の後羽根駆動レバー１９がさらに左旋すると共に、セットレバー２２の第３のカム部２２ｄが第１の後羽根駆動レバー１５の作動片１５ｂに当接し、第１の後羽根駆動レバー１５は図示しないバネに抗して右旋し始める。このとき、第１の後羽根駆動レバー１５はその作動片１５ｂが第３のカム部２２ｄのカム面を摺動しながら右旋する（図１０参照）。なお、図１０の状態に達するまでは、第１の後羽根駆動レバー１５が第２の後羽根駆動レバー１９と一体に左旋するため、後羽根群３は開放位置に向かってわずかに走行するが、遮光動作にはほとんど影響はない。
【００２９】
図１０の状態から補助セットレバー２６がさらに右旋すると、先羽根駆動レバー１２及び第２の後羽根駆動レバー１９がさらに左旋し、先羽根駆動レバー１２の磁石受け部１２ｄが鉄心３８の端面に接触すると共に、第２の後羽根駆動レバー１９の磁石受け部１９ｄが鉄心３９の端面に接触する。これにより、先羽根群２は閉鎖位置に達する。また、第１の後羽根駆動レバー１５はさらに右旋し続ける（図１１参照）。
【００３０】
図１１の状態から補助セットレバー２６がさらに右旋し、オーバーチャージ位置に達すると、先羽根駆動レバー１２の磁石受け部１２ｄが鉄心３８の端面に押し付けられると共に、第２の後羽根駆動レバー１９の磁石受け部１９ｄが鉄心３９の端面に押し付けられる。また、第１の後羽根駆動レバー１５がさらに右旋し、これにより後羽根群３は完全な閉鎖位置に達する（図１２参照）。
【００３１】
この状態で、図示しない制御系により鉄心３８及び３９のまわりのコイルを通電する。すると、磁石受け部１２ｄ及び１９ｄは上述したように鉄心３８及び３９に押し付けられているので、先羽根駆動レバー１２及び第２の後羽根駆動レバー１９は鉄心３８及び３９に確実に吸着され保持される。
【００３２】
続いて、図示しないレリーズボタンによりレリーズ操作が行われると、図示しない駆動モータが逆転し、補助セットレバー２６が反転（左旋）し始める。これに伴ってセットレバー２２が左旋し、このセットレバー２２の第３のカム部２２ｄに当接している第１の後羽根駆動レバー１５が左旋し始め、これにより後羽根群３は閉鎖位置から開放位置に向かって走行するようになる。このとき、第１の後羽根駆動レバー１５はその作動片１５ｂが第３のカム部２２ｄのカム面を摺動しながら徐々に左旋していく。なお、先羽根駆動レバー１２及び第２の後羽根駆動レバー１９は、鉄心３８及び３９に吸着保持されたままである。（図１３〜図１５参照）。
【００３３】
図１５の状態から補助セットレバー２６がさらに左旋すると、セットレバー２２の第３のカム部２２ｄが第１の後羽根駆動レバー１５の作動片１５から離脱し、これにより第１の後羽根駆動レバー１５は図示しないバネにより直ちに左旋し、後羽根群３が閉鎖位置から開放位置に達する（図１６参照）。
【００３４】
この状態で、図示しない制御系により鉄心３８のまわりのコイルの通電を停止させる。すると、鉄心３８による磁石受け部１２ｄの吸着が解除され、先羽根駆動レバー１２はバネ３１の付勢力により右旋し、前羽根群２が開放位置に達し、これにより図示しない制御系により撮影が実施される（図１７参照）。
【００３５】
その後、図示しない制御系により鉄心３９のまわりのコイルの通電を停止させる。すると、鉄心３９による磁石受け部１９ｄの吸着が解除され、第２の後羽根駆動レバー１９はバネ３３の付勢力により右旋し、これに追従して第１の後羽根駆動レバー１５が右旋し、これにより後羽根群３が開放位置から閉鎖位置に達し、図１の状態に戻る。
【００３６】
以上のように構成した本実施形態にあっては、セットレバー２２を右旋（正転）させたときに後羽根群３を閉鎖位置に保持するための第３のカム部２２ｄをセットレバー２２に設け、このカム部２２ｄのカム面の形状を、後羽根群３を閉鎖位置に保持し続ける間中、常に第１の後羽根駆動レバー１５の作動片１５ｂが摺動するようなものにしたので、当該第３のカム部２２ｄだけで後羽根群３を閉鎖位置に保持し続けることができる。これにより、後羽根群３を閉鎖位置に保持するために複数の部材を使用しなくて済むため、シャッタ地板１に広い配置スペースを確保する必要がなく、フォーカルプレンシャッタの小型化が可能となる。また、部品点数が減る分、シャッタの製作コストを削減できる。
【００３７】
また、第３のカム部２２ｄのカム面の形状は、セットレバー２２を左旋（反転）させたときには、作動片１５ｂを摺動させながら第１の後羽根駆動レバー１５を回動させるものであるので、第１の後羽根駆動レバー１５が後羽根群３の閉鎖位置に対応する位置から後羽根群３の開放位置に対応する位置まで回動する際、途中までは作動片１５ｂがカム部２２ｄのカム面を摺動しながら徐々に回動していく。このため、第１の後羽根駆動レバー１５が図示しないバネの付勢力により急激に回動する距離が短くなり、第１の後羽根駆動レバー１５が第２の後羽根駆動レバー１９のストッパ１９ｅに当たるときの衝撃が少なくなるため、その衝撃で鉄心３９による第２の後羽根駆動レバー１９の吸着がはずれて、露光できなくなることが防止される。
【００３８】
【発明の効果】
本発明によれば、後羽根群を閉鎖位置に保持するための部材が１個で済むので、フォーカルプレンシャッタ自体を小型にすることができると共に、シャッタの製作コストを安価にすることができる。
【図面の簡単な説明】
【図１】本発明に係るカメラ用フォーカルプレンシャッタの一実施形態を示す平面図である。
【図２】図１に示す先羽根駆動レバーを示す斜視図である。
【図３】図１に示す第１の後羽根駆動レバーを示す斜視図である。
【図４】図１に示す第２の後羽根駆動レバーを示す斜視図である。
【図５】図１に示すセットレバーを示す斜視図である。
【図６】図１に示す補助セットレバーを示す斜視図である。
【図７】  図１に示すセットリンクレバーを示す斜視図である。
【図８】図１に示す先羽根駆動レバーがチャージ位置に向かう途中の状態を示す平面図である。
【図９】図１に示す先羽根駆動レバー及び第２の後羽根駆動レバーがチャージ位置に向かう途中の状態を示す平面図である。
【図１０】図１に示す第１の後羽根駆動レバーが後羽根群の閉鎖位置に向かい始める状態を示す平面図である。
【図１１】図１に示す先羽根駆動レバー及び第２の後羽根駆動レバーが電磁石の鉄心に接触した状態を示す平面図である。
【図１２】図１に示す第１の後羽根駆動レバーが後羽根群の閉鎖位置に対応する位置に達した状態を示す平面図である。
【図１３】図１に示す第１の後羽根駆動レバーが後羽根群の開放位置に対応する位置に向かう状態を示す平面図である。
【図１４】図１に示す第１の後羽根駆動レバーが後羽根群の開放位置に対応する位置に向かう状態を示す平面図である。
【図１５】図１に示す第１の後羽根駆動レバーが後羽根群の開放位置に対応する位置に向かう状態を示す平面図である。
【図１６】図１に示す第１の後羽根駆動レバーが後羽根群の開放位置に対応する位置に達した状態を示す平面図である。
【図１７】図１に示す先羽根駆動レバーが先羽根群の開放位置に対応する位置に達した状態を示す平面図である。
【符号の説明】
１…シャッタ地板、１ａ…アパーチャ（撮影用開口）、２…先羽根群、３…後羽根群、４…羽根駆動機構、１２…先羽根駆動レバー（先羽根駆動部材）、１５…第１の後羽根駆動レバー（第１の後羽根駆動部材）、１５ｂ…作動片、１９…第２の後羽根駆動レバー（第２の後羽根駆動部材）、２２…セットレバー（セット部材）、２２ｂ…第１のカム部、２２ｃ…第２のカム部、２２ｄ…第３のカム部、２５…セットリンクレバー（セット部材駆動手段）、２６…補助セットレバー（セット部材駆動手段）、１００…カメラ用フォーカルプレンシャッタ。
【図１】
0004317283.tif 000002
【図２】
0004317283.tif 000003
【図３】
0004317283.tif 000004
【図４】
0004317283.tif 000005
【図５】
0004317283.tif 000006
【図６】
0004317283.tif 000007
【図７】
0004317283.tif 000008
【図８】
0004317283.tif 000009
【図９】
0004317283.tif 000010
【図１０】
0004317283.tif 000011
【図１１】
0004317283.tif 000012
【図１２】
0004317283.tif 000013
【図１３】
0004317283.tif 000014
【図１４】
0004317283.tif 000015
【図１５】
0004317283.tif 000016
【図１６】
0004317283.tif 000017
【図１７】
0004317283.tif 000018